(57)【要約】【課題】本発明は、害虫防除に有効な個体数の天敵を、短縮茎を有する植物の圃場に長期間維持することを目的とする。さらには、天敵を用いた害虫防除方法を提供する。【解決手段】  アカメガシワクダアザミウマ（Haplothrips brevitubus（Karny））、タイリクヒメハナカメムシ（Orius strigicollis (Poppius)）やスワルスキーカブリダニ（Amblyseius swirskii (Athias-Henriot)）などの天敵を、短縮茎を有する植物の圃場に放飼する工程、およびアルテミアの卵を該圃場に散布する工程を含む、天敵の該圃場への定着方法。【選択図】なし【特許請求の範囲】
【請求項１】
天敵を、短縮茎を有する植物の圃場に放飼する工程、およびアルテミアの卵を該圃場に散布する工程を含む、天敵の該圃場への定着方法。
【請求項２】
天敵が、アカメガシワクダアザミウマ、タイリクヒメハナカメムシおよびスワルスキーカブリダニからなる群から選択される少なくとも１種であることを特徴とする、請求項１に記載の定着方法。
【請求項３】
天敵が、アカメガシワクダアザミウマであることを特徴とする、請求項１または２に記載の定着方法。
【請求項４】
短縮茎を有する植物が、イチゴであることを特徴とする、請求項１〜３のいずれか１項に記載の定着方法。
【請求項５】
アルテミアの卵をイチゴのクラウンに散布することを特徴とする、請求項４に記載の定着方法。
【請求項６】
アルテミアの卵が、乾燥耐久卵であることを特徴とする、請求項１〜５のいずれか１項に記載の定着方法。
【請求項７】
天敵を、短縮茎を有する植物の圃場に放飼する工程、およびアルテミアの卵を該圃場に散布する工程を含む害虫防除方法。
【請求項８】
天敵が、アカメガシワクダアザミウマ、タイリクヒメハナカメムシおよびスワルスキーカブリダニからなる群から選択される少なくとも１種であることを特徴とする、請求項７に記載の害虫防除方法。
【請求項９】
天敵が、アカメガシワクダアザミウマであることを特徴とする、請求項７または８に記載の害虫防除方法。
【請求項１０】
短縮茎を有する植物が、イチゴであることを特徴とする、請求項７〜９のいずれか１項に記載の害虫防除方法。
【請求項１１】
アルテミアの卵をイチゴのクラウンに散布することを特徴とする、請求項１０に記載の害虫防除方法。
【請求項１２】
アルテミアの卵が、乾燥耐久卵であることを特徴とする、請求項７〜１１のいずれか１項に記載の害虫防除方法。
【発明の詳細な説明】
【技術分野】
【０００１】
本発明は、アカメガシワクダアザミウマ（Haplothrips brevitubus（Karny））、タイリクヒメハナカメムシ（Orius strigicollis (Poppius)）やスワルスキーカブリダニ（Amblyseius swirskii (Athias-Henriot)）などの天敵を、短縮茎を有する植物の圃場に定着させる、天敵の定着方法に関する。さらには、天敵を用いた害虫防除方法に関する。
【背景技術】
【０００２】
イチゴの圃場ではダニ目害虫、チョウ目害虫、アザミウマ目害虫による被害が問題となっており、特に、アザミウマ目害虫の食害は顕著であり、良品質のイチゴを安価に栽培する上で、その防除方法の確立が望まれている。アザミウマ目害虫は増殖が早く、体長も小さいため、その発生に気付いたときには既に大量のアザミウマ目害虫が食害している場合が多く、化学農薬を使用する時期を逸することがある。また、一部のアザミウマ目害虫は蛹化時には土中に移動する習性があり、化学農薬に直接暴露されないため、その効果が発揮され難い場合がある。また、いつ圃場に侵入してくるか不明な害虫に対して、化学農薬の散布を繰り返すことは効率的でないばかりか、化学農薬の抵抗性害虫の発達を促す可能性がある。そのため、近年、イチゴのさまざまな生育段階で利用できる天敵による害虫防除が求められている。
【０００３】
捕食性のアザミウマの一種であるアカメガシワクダアザミウマは、アザミウマ目、カメムシ目、ハエ目、ダニ目やチョウ目などの卵や幼虫を捕食対象とし、特に、アザミウマ目害虫の天敵として有用であることが知られている。アカメガシワクダアザミウマの大量飼育用に、チョウ目のスジコナマダラメイガ（Ephestia kuehniella (Zeller)）の卵が餌として利用されているが、圃場での増殖用に使用するにはスジコナマダラメイガの卵は高価で、また、その供給が不安定であるため、安価で安定供給が可能な代替餌の確保が求められている。
【０００４】
タイリクヒメハナカメムシはカメムシ目ハナカメムシ科に属する捕食性カメムシであり、アザミウマ類を中心に、ハダニ類、アブラムシ類やチョウ目の卵及び若齢幼虫を好んで捕食することが知られている。タイリクヒメハナカメムシの大量飼育にはアカメガシワクダアザミウマと同様にスジコナマダラメイガの卵が利用されるが、圃場での増殖用に利用するには高価であることが問題となっている。
【０００５】
スワルスキーカブリダニはダニ目カブリダニ科に属する捕食性ダニであり、アザミウマ類、コナジラミ類、ミカンハダニ等の広範囲の害虫を捕食する。また、害虫が存在しない環境下でも花粉を餌に生育できることも知られている。
【０００６】
非特許文献１には、アカメガシワクダアザミウマの飼育において、餌の給仕方法による差異が記載されている。当該アザミウマの幼虫期に、スジコナマダラメイガの卵、アルテミア（ブラインシュリンプ、Artemia spp.）の卵、またはウスグロアザミウマの幼・成虫を餌として与え、成虫期にスジコナマダラメイガの卵を餌として与え成熟させた場合には、幼虫期に与えた餌の違いによってアカメガシワクダアザミウマの産卵数に有意差が生じることはなかったことが記載されている。一方、幼虫期にスジコナマダラメイガの卵を餌として与え、成虫期にスジコナマダラメイガの卵、アルテミアの卵、またはウスグロアザミウマの幼・成虫を餌として与えて成熟させた場合には、アカメガシワクダアザミウマの産卵数は、成虫期にスジコナマダラメイガの卵を与えたときが最も多く、その成熟には成虫期の餌が重要であることが記載されている。しかしながら、アカメガシワクダアザミウマを圃場に定着させる方法は記載されていない。
【０００７】
非特許文献２には、捕食性天敵の定着促進や増殖維持・促進の目的で、種々の捕食性天敵に対して、スジコナマダラメイガの卵に替えて、安価なアルテミアの耐久卵（ブラインシュリンプの耐久卵）を用いた結果が記載されている。捕食性天敵のタイリクヒメハナカメムシの飼育では、アルテミアの耐久卵を用いた場合とスジコナマダラメイガの卵を用いた場合とで産卵数や幼虫の発育日数などに優位差はなかったが、スワルスキーカブリダニの飼育では、アルテミアの耐久卵は餌として有効ではなかったことが記載されている。しかしながら、アカメガシワクダアザミウマに関しては記載されていない。
【０００８】
特許文献１には、捕食性カブリダニを育苗中の苗に定着させ、ハダニ類、アザミウマ類やコナジラミ類等の害虫を防除する方法が記載されており、定着方法として水分補給手段、餌昆虫及びその卵、花粉等の虫以外の餌を育苗環境中に補充することが記載されているが、代替餌となる昆虫や花粉の種類や必要量等については一切記載されていない。
【先行技術文献】
【非特許文献】
【０００９】
【非特許文献１】藤本顕次、他３名、“舞鶴産の捕食性天敵アカメガシワクダアザミウマの長期保存と大量生産”、［ｏｎｌｉｎｅ］、京都府立大学、［平成２９年５月１１日検索］インターネット＜ＵＲＬ：http://www2.kpu.ac.jp/life_environ/app_entom/ACTR%202012.pdf＞
【非特許文献２】三浦一芸、植物防疫、第７１巻、第８号、５４３頁〜５４６頁
【特許文献】
【００１０】
【特許文献１】特開２０１８−１０２１７３号公報
【発明の概要】
【発明が解決しようとする課題】
【００１１】
アザミウマ目害虫が圃場に侵入後、増殖を開始する前に、アカメガシワクダアザミウマ、タイリクヒメハナカメムシやスワルスキーカブリダニなどの天敵（以下、単に本発明の天敵ともいう）によって捕食させ、アザミウマ目害虫の個体数を抑制することができれば、その後の大発生を回避することができるものと考えられる。従って、餌となる害虫が減少した圃場において、本発明の天敵の個体数を維持することができれば、効率的な害虫防除が可能になる。しかし、本発明の天敵、特にアカメガシワクダアザミウマは、移動能力の高い天敵であり、餌となる害虫が不足したり、気温が適温から外れたりする環境変化の大きい圃場などでは、死亡または他の場所へ移動してしまうため、アカメガシワクダアザミウマの個体数を一定の場所で長期間維持することは困難である。アカメガシワクダアザミウマを繰り返し放飼して、その個体数を維持することは、アザミウマ目害虫を含む害虫の防除方法として有効であるが、いつ侵入してくるか不明な害虫に対して、頻繁にアカメガシワクダアザミウマを放飼するのは、コストも手間も必要とするため、害虫防除効果を維持する上で現実的ではない。
【００１２】
短縮茎を有する植物、例えばイチゴでは、温度管理を行うことで年中栽培可能であるが、通常、苗を植え、イチゴの生育に合わせて、ランナー摘み、摘葉、摘花、摘蕾を行いながらイチゴの実を収穫する。イチゴの実は、イチゴが開花したときに、昆虫によりまたは人工的に受粉を行い、その３〜４週後に収穫できる。イチゴを冬越しさせて春に収穫する場合は、再び暖かくなり、イチゴが生長を開始すれば、ランナー摘み、摘葉、摘花、摘蕾を行いながら、イチゴの実を収穫する。前述のような年間を通じたイチゴ栽培で捕食性天敵アザミウマであるアカメガシワクダアザミウマを利用し害虫を防除する場合は、気温が低く、餌となる生物や花粉の少ない季節を通して、イチゴの圃場にアカメガシワクダアザミウマの個体数を一定以上に維持することが課題であった。
【００１３】
本発明は、本発明の天敵の短縮茎を有する植物の圃場への定着率を向上させるため、本発明の天敵を、短縮茎を有する植物の圃場で長期間にわたり繁殖・発育させる方法を提供することを目的とする。また本発明は、本発明の天敵を、短縮茎を有する植物の圃場へ定着させる方法を用いた害虫防除方法を提供することを目的とする。
【課題を解決するための手段】
【００１４】
本発明者らは、上記課題を解決するため鋭意検討し、本発明の天敵の短縮茎を有する植物の圃場への放飼に併せ、アルテミアの卵を該圃場に散布することで、圃場において、死亡したり、圃場の外へ移動する本発明の天敵の個体数が減少することを見出した。上記課題は、下記の本発明によって解決される。
【００１５】
（１）天敵を、短縮茎を有する植物の圃場に放飼する工程、およびアルテミアの卵を該圃場に散布する工程を含む、天敵の該圃場への定着方法。
（２）天敵が、アカメガシワクダアザミウマ、タイリクヒメハナカメムシおよびスワルスキーカブリダニからなる群から選択される少なくとも１種であることを特徴とする、（１）に記載の定着方法。
（３）天敵が、アカメガシワクダアザミウマであることを特徴とする、（１）または（２）に記載の定着方法。
（４）短縮茎を有する植物が、地際部に短縮茎を有する植物であることを特徴とする、前記（１）〜（３）に記載の定着方法。
（５）地際部に短縮茎を有する植物が、イチゴであることを特徴とする、前記（４）に記載の定着方法。
（６）アルテミアの卵を地際部の短縮茎に散布することを特徴とする、前記（４）または（５）に記載の定着方法。
（７）地際部の短縮茎がイチゴのクラウンであることを特徴とする、前記（４）〜（６）のいずれかに記載の定着方法。
（８）アルテミアの卵が、乾燥耐久卵であることを特徴とする、前記（１）〜（７）のいずれかに記載の定着方法。
（９）天敵を、短縮茎を有する植物の圃場に放飼する工程、およびアルテミアの卵を該圃場に散布する工程を含む害虫防除方法。
（１０）天敵が、アカメガシワクダアザミウマ、タイリクヒメハナカメムシおよびスワルスキーカブリダニからなる群から選択される少なくとも１種であることを特徴とする、（９）に記載の害虫防除方法。
（１１）天敵が、アカメガシワクダアザミウマであることを特徴とする、（９）または（１０）に記載の害虫防除方法。
（１２）短縮茎を有する植物が、地際部に短縮茎を有する植物であることを特徴とする、前記（９）〜（１１）に記載の害虫防除方法。
（１３）地際部に短縮茎を有する植物が、イチゴであることを特徴とする、前記（９）〜（１２）のいずれかに記載の害虫防除方法。
（１４）アルテミアの卵を地際部の短縮茎に散布することを特徴とする、前記（９）〜（１３）のいずれかに記載の害虫防除方法。
（１５）地際部の短縮茎が、イチゴのクラウンであることを特徴とする、前記（９）〜（１４）に記載の害虫防除方法。
（１６）アルテミアの卵が、乾燥耐久卵であることを特徴とする、前記（９）〜（１５）のいずれかに記載の害虫防除方法。
【発明の効果】
【００１６】
害虫防除に有効な個体数のアカメガシワクダアザミウマ、タイリクヒメハナカメムシやスワルスキーカブリダニなどの天敵を、短縮茎を有する植物の圃場に定着させ、害虫を防除することができる。圃場における害虫の増殖を抑制し、害虫による食害などの被害の拡大を抑えることができる。
【発明を実施するための形態】
【００１７】
以下、好ましい実施形態を挙げて本発明を詳細に説明する。
【００１８】
本発明は、本発明の天敵を、短縮茎を有する植物の圃場に放飼する工程、およびアルテミアの卵を該圃場に散布する工程を含む、本発明の天敵の定着方法に関する。また、本発明は、本発明の天敵を、短縮茎を有する植物の圃場に放飼する工程、およびアルテミアの卵を該圃場に散布する工程を含む害虫防除方法に関する。
【００１９】
本発明において、「定着」とは、本発明の天敵が放飼された短縮茎を有する植物の圃場で繁殖および発育を繰り返し、圃場にける個体数が０にならず、少なくとも本発明の天敵の存在が維持された状態を意味する。すなわち、放飼された短縮茎を有する植物の圃場に留まる天敵の個体数が、繁殖行動を行う成虫、または発育を完了する幼虫の存在が少なくとも維持された状態を意味する。「短縮茎」は、節間が極端に収縮し、多数の葉を生ずる茎をいう。
【００２０】
本発明の天敵を、短縮茎を有する植物の圃場に放飼する工程、およびアルテミアの卵を該圃場に散布する工程を含む、本発明の天敵の該圃場への定着方法について、以下に説明する。
【００２１】
短縮茎を有する植物は、例えば、スイートコーン、ニンジン、ダイコン、ホウレンソウ、イチゴ、パセリ、ミツバ、ネギ、ワサビ、もしくはテンサイなどの野菜類、または、シクラメン、セントポーリア、ガーベラ、フリージア、チューリップ、スイセン、ヒヤシンス、クロッカスなどの花卉類が挙げられ、好ましくは、ニンジン、ダイコン、ホウレンソウ、イチゴ、パセリ、シクラメン、セントポーリア、もしくはガーベラなどの地際部に短縮茎を有する植物であり、特に好ましくはアザミウマ目害虫が頻繁に発生し、本発明の天敵を利用する場面が多いイチゴである。
【００２２】
本発明の天敵を、短縮茎を有する植物の圃場に放飼する工程において、本発明の天敵の発育段階は、例えば、卵、幼虫、蛹、成虫の発育段階であってよく、圃場内で移動し均一に定着しやすいため、成虫であるのが好ましい。
【００２３】
本発明の天敵を放飼する短縮茎を有する植物の圃場は、例えば、路地または施設が挙げられ、高原の育苗地、育苗施設、雨除けハウス、トンネルハウス、ビニールハウス、ガラスハウス、植物工場などが挙げられる。本発明の天敵の圃場外への移動を避けるためビニールハウスやガラスハウスなどの一定の閉ざされた空間であるのが好ましい。
【００２４】
本発明の天敵を放飼する場所は、短縮茎を有する植物の圃場で害虫を防除できる場所であれば、特に制限されないが、例えば、短縮茎を有する植物の花、幼果、熟果、葉、茎、株元、根茎、または短縮茎など（以下、短縮茎を有する植物の表面とも記載する）、あるいは２株以上の短縮茎を有する植物の株の間の畝などが挙げられる。その場で産卵し、定着しやすいことから、本発明の天敵は、短縮茎を有する植物の短縮茎、特に地際部の短縮茎に放飼するのが好ましい。イチゴの圃場であれば、イチゴの株元、特にイチゴのクラウンに放飼するのが好ましい。
【００２５】
本発明の天敵を放飼する方法は、例えば、一定数の本発明の天敵を入れた容器を用いて短縮茎を有する植物の表面に放飼する、または、ＷＯ２０１３／１５７６４０号に記載の紙束などを、短縮茎を有する植物の圃場の畝などに設置し、短縮茎を有する植物の表面に移動させる方法が挙げられる。前述の一定数の本発明の天敵を入れた容器を用いて放飼する方法としては、当該容器を、短縮茎を有する植物の圃場に設置する方法、当該容器から本発明の天敵を、短縮茎を有する植物に振り掛ける方法などが挙げられる。また、前述のＷＯ２０１３／１５７６４０号に記載の紙束を用いて放飼する方法としては、天敵を飼育または輸送するに際して使用されるシェルターであって、セルロース繊維を含有しているシート状組成物の集合体、具体例としてはキッチンペーパーなどの紙を束ね、その紙間に本発明の天敵が入った状態のものを、短縮茎を有する植物の圃場に設置する方法、当該紙束から本発明の天敵をイチゴに振り掛ける方法などが挙げられる。
【００２６】
放飼する本発明の天敵の頭数は、アカメガシワクダアザミウマの場合、短縮茎を有する植物１株あたり１〜１００頭であり、定着の安定性から、短縮茎を有する植物１株あたり２〜６０頭であるのが好ましい。タイリクヒメハナカメムシの場合、短縮茎を有する植物１株あたり１〜５０頭であり、定着の安定性から、短縮茎を有する植物１株あたり１〜２０頭であるのが好ましい。スワルスキーカブリダニの場合、短縮茎を有する植物１株あたり１〜２５０頭であり、定着の安定性から、短縮茎を有する植物１株あたり２〜１００頭であるのが好ましい。
【００２７】
アルテミアの卵を、短縮茎を有する植物の圃場に散布する工程において、アルテミアの種は、例えば、Artemia franciscana、Artemia monica、Artemia persimilis、Artemia salina、Artemia sinica、Artemia tibetiana、Artemia urmianaが挙げられる。
【００２８】
アルテミアの卵の形態としては、殻つきの乾燥耐久卵と殻なしの卵を入手できるが、本発明の天敵の餌となりやすいことから、殻つきの乾燥耐久卵が好ましい。アルテミアの殻つきの乾燥耐久卵としては、例えば、スペクトラムブランズジャパン株式会社から入手できる商品名「テトラ  ブラインシュリンプエッグス」を利用することができる。なお、アルテミアは一般的に、水中で孵化させた後に、熱帯魚の餌として利用されているが、本発明では孵化させていない卵の状態で用いてよく、卵の状態で用いた場合、長期間カビの発生を避けることができる。
【００２９】
アルテミアの卵を散布する場所は、短縮茎を有する植物の圃場であれば、特に制限されず、例えば、短縮茎を有する植物の花、幼果、熟果、葉、茎、株元、根茎、または短縮茎など、あるいは２株以上の短縮茎を有する植物の株の間の畝などが挙げられる。アルテミアの卵は、短縮茎を有する植物の短縮茎、特に地際部の短縮茎に散布するのが好ましく、イチゴの圃場であれば、イチゴの株元、特にイチゴのクラウンに散布するのが好ましい。害虫が寄生するイチゴの株付近にアカメガシワクダアザミウマを維持することができるため、また、短縮茎を有する植物が良品質となるように栽培・収穫するためにも、短縮茎を有する植物の短縮茎、イチゴの圃場であれば、イチゴの株元、特にイチゴのクラウンに散布するのが好ましい。
【００３０】
アルテミアの卵を散布する方法は、例えば、粉末散布機で短縮茎を有する植物の圃場に幅広く散布する方法、小分けして、１株毎に振り掛ける方法などが挙げられる。短縮茎を有する植物が良品質となるように栽培・収穫するため、または、アルテミアの卵の散布量を減らし効率的に利用するには、小分けして、１株毎に振り掛けるのが好ましい。
【００３１】
アルテミアの卵は、短縮茎を有する植物の圃場に二回以上散布してよく、二回以上散布する場合、その間隔は、アカメガシワクダアザミウマが短縮茎を有する植物の圃場から移動する前、例えば、１〜１５０日に一回、好ましくは５〜３０日に一回、特に好ましくは７〜２０日に一回である。アルテミアの卵を二回以上散布することにより、移動能力の高いアカメガシワクダアザミウマであっても、短縮茎を有する植物の圃場に定着、または、定着が促進される効果がある。
【００３２】
アルテミアの卵を散布する時期は、例えば、短縮茎を有する植物を圃場へ植え付けた直後、植え付けた短縮茎を有する植物の開花前、開花と同時、開花後、または本発明の天敵の放飼時などが挙げられる。イチゴの場合は、前記時期の他、例えば、摘葉時、ランナー摘み時、新芽のポットへの植え付け時、摘蕾時、摘花時、摘果時、収穫時、追肥時などを行うのと同時であってよい。それらの時期に散布することで、作業者への負荷が低減され、また、効率よくアルテミアの卵を散布することができる。
【００３３】
本発明の天敵を放飼する工程とアルテミアの卵を散布する工程との順番は、特に制限されないが、本発明の天敵を放飼する工程の前にアルテミアの卵を散布してよく、本発明の天敵を放飼する工程とアルテミアの卵を散布する工程が同時であってよく、また、本発明の天敵を放飼する工程の後にアルテミアの卵を散布してもよい。なお、本発明において同時とは、各工程が、２４時間程度の時間差がある場合も含む。
【００３４】
散布するアルテミアの卵の量は、例えば、短縮茎を有する植物１株に対し１回当たり１〜１００００ｍｇ、好ましくは５〜２００ｍｇ、更に好ましくは５〜５０ｍｇである。
【００３５】
本発明の定着方法によれば、害虫防除に有効な個体数の本発明の天敵を、３カ月以上、短縮茎を有する植物の圃場に定着させることができる。
【００３６】
本発明の本発明の天敵生物の定着方法は、アザミウマ目害虫を防除する目的で利用することができ、例えば、短縮茎を有する植物の圃場におけるアザミウマ目害虫を防除するために利用することができる。
【００３７】
前述のようにして本発明の天敵を、短縮茎を有する植物の圃場に定着させることで、短縮茎を有する植物に寄生する害虫を防除することができる。
【００３８】
本発明の天敵を放飼する時期は、例えば、短縮茎を有する植物を圃場へ植え付ける前、それと同時、または植え付けた後が挙げられる。
【００３９】
害虫防除方法は、例えば、アカメガシワクダアザミウマの場合、短縮茎を有する植物を圃場に植え、それと同時またはその後、１株あたりに１〜１００００ｍｇのアルテミアの卵を、粉末散布機または筒状容器を用いて短縮茎を有する植物の表面に散布し、その株元や圃場の畝に、１〜１００頭のアカメガシワクダアザミウマを入れた蓋のない容器またはＷＯ２０１３／１５７６４０号に記載の紙束などを設置し、その後１〜１５０日に一回、短縮茎を有する植物１株あたり１〜１００００ｍｇのアルテミアの卵を、粉末散布機または筒状容器を用いて散布する方法が挙げられる。また、例えば、短縮茎を有する植物を圃場に植え、各株に、１〜１００頭のアカメガシワクダアザミウマをＷＯ２０１３／１５７６４０号に記載の紙束から放飼し、放飼すると同時またはその後、短縮茎を有する植物の株元に１株毎に１〜１００００ｍｇのアルテミアの卵を振り掛ける方法や、その後さらに１〜１５０日に一回、短縮茎を有する植物の表面に１株あたり１〜１００００ｍｇのアルテミアの卵を、粉末散布機または筒状容器を用いて散布する方法が挙げられる。
【００４０】
害虫防除方法は、例えば、タイリクヒメハナカメムシの場合、短縮茎を有する植物を圃場に植え、それと同時またはその後、１株あたりに１〜１００００ｍｇのアルテミアの卵を、粉末散布機または筒状容器を用いて短縮茎を有する植物の表面に散布し、その株元や圃場の畝に、１〜５０頭のタイリクヒメハナカメムシを直接振りかけ、もしくは蓋のない容器に入れて設置し、その後１〜１５０日に一回、短縮茎を有する植物１株あたり１〜１００００ｍｇのアルテミアの卵を、粉末散布機または筒状容器を用いて散布する方法が挙げられる。また、例えば、短縮茎を有する植物を圃場に植え、各株の株元や圃場の畝に、１〜５０頭のタイリクヒメハナカメムシを直接振りかけ、もしくは蓋のない容器に入れて放飼し、放飼すると同時またはその後、短縮茎を有する植物の株元に１株毎に１〜１００００ｍｇのアルテミアの卵を振り掛ける方法や、その後さらに１〜１５０日に一回、短縮茎を有する植物の表面に１株あたり１〜１００００ｍｇのアルテミアの卵を、粉末散布機または筒状容器を用いて散布する方法が挙げられる。
【００４１】
害虫防除方法は、例えば、スワルスキーカブリダニの場合、短縮茎を有する植物を圃場に植え、それと同時またはその後、１株あたりに１〜１００００ｍｇのアルテミアの卵を、粉末散布機または筒状容器を用いて短縮茎を有する植物の表面に散布し、その株元や圃場の畝に、１〜２５０頭のスワルスキーカブリダニを直接振りかけ、もしくはふすまや餌となるダニを充填したパックに入れて設置し、その後１〜１５０日に一回、短縮茎を有する植物１株あたり１〜１００００ｍｇのアルテミアの卵を、粉末散布機または筒状容器を用いて散布する方法が挙げられる。また、例えば、短縮茎を有する植物を圃場に植え、各株の株元や圃場の畝に、１〜２５０頭のスワルスキーカブリダニ直接振りかけ、もしくはふすまや餌となるダニを充填したパックに入れて放飼し、放飼すると同時またはその後、短縮茎を有する植物の株元に１株毎に１〜１００００ｍｇのアルテミアの卵を振り掛ける方法や、その後さらに１〜１５０日に一回、短縮茎を有する植物の表面に１株あたり１〜１００００ｍｇのアルテミアの卵を、粉末散布機または筒状容器を用いて散布する方法が挙げられる。
【００４２】
本発明に係る害虫防除方法は、他の天敵や農薬と一緒に用いて行ってよく、またインセクタリープランツを併用してもよい。
【実施例】
【００４３】
以下に、本発明を、実施例を用いてさらに具体的に説明する。なお、本発明は、以下の実施例によって、いかなる限定的解釈を受けるものではない。
【００４４】
(実施例１)
ビニールハウス内で開花しているイチゴの苗１０株のそれぞれの株元に、１株当たり約１２ｍｇのアルテミアの卵（スペクトラム ブランズ ジャパン株式会社、商品名「テトラ ブラインシュリンプエッグス」）を振りかけて散布した。初回散布後は約２週毎に一回、初回と同量のアルテミアの卵をイチゴのクラウンに振りかけて繰り返し散布した。アルテミアの卵を初回散布した直後に、「アカメ」（登録商標、石原産業製）に使用されるアカメガシワクダアザミウマの成虫を１株当たり５０頭ずつ、計５００頭をイチゴの圃場に放飼した。放飼８０日後にイチゴの苗１株当たりのアカメガシワクダアザミウマの頭数を計測し第１表に計測結果を示した。また、放飼８０日後にイチゴの苗に寄生しているアザミウマ目害虫の頭数を株毎に計測し、イチゴの苗１株あたりの頭数（平均値）を第２表に示した。
【００４５】
(比較例１)
ブラインシュリンプエッグを散布しなかったことを除いて、実施例１と同様にアカメガシワクダアザミウマの頭数を計測し、第１表に計測結果を示した。また、アザミウマ目害虫の、イチゴの苗１株あたりの頭数（平均値）を第２表に示した。
【００４６】
【表１】
2019062885.tif 000002
【００４７】
【表２】
2019062885.tif 000003
【００４８】
実施例１では、放飼したアカメガシワクダアザミウマが産卵し、その卵が孵化して発育したことを確認できた。また、放飼後3週間程度以降に、幼虫が蛹や成虫に発育し、アカメガシワクダアザミウマの個体数を比較例の2倍以上で維持できた。さらに、比較例１に比べて、アザミウマ目害虫が少ないことを確認できた。
【００４９】
（実施例２）
冬季のイチゴ栽培圃場において、１０アール当たり１５０００頭のアカメガシワクダアザミウマを放飼し、同時に１株当たり１５ｍｇのアルテミアの卵を株元に散布した。試験期間中、アルテミアの卵は２週間に１度、同量を株元に散布した。放飼３日後及び５２日後のアカメガシワクダアザミウマの１株当たりの成虫及び幼虫の頭数を第３表に示した。  
【００５０】
【表３】
2019062885.tif 000004
【００５１】
冬季のイチゴ栽培圃場においても、アルテミアの卵を散布することによりアカメガシワクダアザミウマの増殖が可能であることが明らかとなった。
【００５２】
（実施例３）
上記、実施例２と同じ圃場で、イチゴの害虫に対する効果を検討するため、アカメガシワクダアザミウマ放飼７５日後に、ヒラズハナアザミウマをイチゴ１株当たり１頭接種した。放飼１００日後のヒラズハナアザミウマの１株当たりの成虫及び幼虫の頭数を第４表に示した。
【００５３】
【表４】
2019062885.tif 000005
【００５４】
アルテミアの卵を散布した区におけるヒラズハナアザミウマの頭数は散布しなかった区と比較して明らかに少なかった。
【００５５】
（実施例４）
ポットにイチゴ苗を定植し、アカメガシワクダアザミウマを１株当たり１０頭放飼し、同時に１株当たり５ｍｇまたは１０ｍｇのアルテミアの卵を株元に散布した。放飼２週間後、アルテミアの卵を再度、同量散布した。放飼２日後と２０日後のアカメガシワクダアザミウマの１株当たりの成虫及び幼虫の頭数を第５表に示した。
【００５６】
【表５】
2019062885.tif 000006
【００５７】
（実施例５）
ポットにイチゴ苗を定植し、タイリクヒメハナカメムシを１株当たり５０頭放飼し、同時に１株当たり１ｇのアルテミアの卵を株元に散布した。放飼４日後と１１日後のタイリクヒメハナカメムシの１株当たりの成虫及び幼虫の頭数を第６表に示した。
【００５８】
【表６】
2019062885.tif 000007
【００５９】
（実施例６）
ポットにイチゴ苗を定植し、スワルスキーカブリダニを１株当たり５０頭放飼し、同時に１株当たり１００ｍｇのアルテミアの卵を株元に散布した。放飼６日後、１１日後及び２８日後のスワルスキーカブリダニの１株当たりの成虫、若虫及び産卵数を第７表に示した。なお、放飼２８日後の調査は洗い出しによって行った。
【００６０】
【表７】
2019062885.tif 000008
【産業上の利用可能性】
【００６１】
本発明によれば、害虫防除に有効な個体数の本発明の天敵を、短縮茎を有する植物の圃場に長期間維持することができる。好ましくは、花や花粉の少ない季節を通して、短縮茎を有する植物の圃場に本発明の天敵の個体数を一定以上に安定して維持することができる。この結果、天敵生物を用いた優れた害虫防除効果が得られ、ＩＰＭによる農作の実現が可能となる。また、本発明の方法は、作業者への作業上の負荷が低減できるので、この点でも、ＩＰＭによる農作の実現が可能となる。従って、本発明の天敵の定着方法及び害虫の防除方法は、産業上極めて有用である。